(57)【要約】【課題】  ディスクドライブ等のストレージを着脱容易に、且つ堅牢にケース内に固定するストレージの固定装置を提供する。【解決手段】底部１１とボックス部１２とより構成されるケースを設け、該底部上の可撓性を有する固定ユニット３上に突出部３２を設け、該突出部に延長部３２１及び挿入の便を図るための曲面３２２を形成し、他方のストレージユニット２側面には該突出部に対応する接続孔２１を設けて、該接続孔に突出部を嵌合することにより、ストレージユニットを、ケース内に支持、固定する。【選択図】        図２
0003113920.tif 000002
【実用新案登録請求の範囲】
【請求項１】
底部とボックス部とによりケースを構成し、
該底部上に可撓性或いは弾性を有する複数の固定ユニットを立設し、更に該固定ユニット支持部上にはディスクドライブなどのストレージを支持する突出部を設け、該ストレージを該突出部を介して該ケース内に支持し、固定することを特徴とするストレージの固定装置。
【請求項２】
該底部とボックス部間は、複数の固定部品により結合することを特徴とする請求項1記載のストレージの固定装置。
【請求項３】
該ストレージは一つのストレージユニットであることを特徴とする請求項１記載のストレージの固定装置。
【請求項４】
該ストレージユニットは、ディスクドライバ或いはCD-ROMのいずれかであることを特徴とする請求項３記載のストレージの固定装置。
【請求項５】
該ストレージユニットの両側には上記固定ユニット上の突出部に対応する複数の接続孔が設けられることを特徴とする請求項４記載のストレージの固定装置。
【請求項６】
該突出部は、延長部及び該延長部先端に設けられる曲面を具有することを特徴とする請求項１記載のストレージの固定装置。
【請求項７】
底部とボックス部とによりケースを構成するディスクドライブなどのストレージの固定装置において、
該底部には両側板を具有し、該両側板上にはストレージを支持する複数の突出部を具有し、該突出部を介してストレージ等を該ケース内に支持し、固定することを特徴とするストレージの固定装置。
【請求項８】
該突出部は、延長部と該延長部先端に設けられる曲面とを具有することを特徴とする請求項７記載のストレージの固定装置。
【考案の詳細な説明】
【技術分野】
【０００１】
本考案はストレージの固定装置に係り、特にスピーディー且つスムーズにストレージユニットをケースに着脱し、且つ装着の際は堅牢に固定する固定装置に関わる。
【背景技術】
【０００２】
公知におけるディスクドライバ（或いは、CD-ROM等のストレージ装置）においては、図１に示すように、上蓋４１及び下蓋４２とより構成されるケース４が含まれ、該上蓋４１と下蓋４２は多数のボルト等の固定部品４３により結合され、且つ該ケース４の下蓋４２上にディスクドライバ５が設けられる。多数のボルト４４が該下蓋４２の両側及びディスクドライバ５の両側を固定孔５１により固定し、該ディスクドライバ５を該ケース４内に設置し、且つ固定する。
【特許文献１】特開平９−３０６１５２号公報
【特許文献２】特開平８−１６６７７６号公報
【考案の開示】
【考案が解決しようとする課題】
【０００３】
しかし、ディスクドライバを電子機器内部に設けるべくケース内に固定する際、上述のように固定孔に多数のボルトを螺設するのは極めて着脱を不便にしており、また装着の際にはボルトを締結する力が大きすぎた際等は、ディスクドライバにまで不必要な力がかかり、破損や故障を引き起こす恐れがある。
上述の欠点に鑑み、着脱が容易、且つこれらのストレージがケースに堅牢に固定される本考案のストレージの固定装置を提供する。
【課題を解決するための手段】
【０００４】
底部とボックス部より構成されるケースを設け、該底部上には固定ユニットを設け、該固定ユニット上には可撓性或いは弾性を具有する支持部を設け、該支持部上には突出部を設け、該突出部には更に延長部と該延長部先端に設置される曲面を設け、該曲面により該突出部が該ストレージユニットの接続孔中にスムーズに導入され、該突出部が該接続孔に接続されることで該曲面が該延長部外径と接続孔とが緊密に固定されるようにして、該ストレージユニットをケース内に支持する。
【考案の効果】
【０００５】
本考案によると、ストレージをケースに着脱するのがスムーズ且つスピーディーになり、且つ堅牢に固定することができることにより、電子機器内に設置する際にストレージが損傷を受けることがない。
【考案を実施するための最良の形態】
【０００６】
図２に示すように、本考案はケース１とストレージユニット２、及び複数の固定ユニット３とより構成され、該ストレージユニット２は該固定ユニット３により容易に該ケース１より着脱できるようになっているものとする。
該ケース１は、底部１１とボックス部１２により構成され、該底部１１と該ボックス部１２との間は多数の固定部品１３によって接合固定される。
該ストレージユニット２は、ディスクドライブやCD-ROMであり、該ケース１内に設置され、該ストレージユニット２両側には多数の接続孔２１が設けられる。
該固定ユニット３は、該ストレージユニット２両側に対応しつつ該底部１１上に設置され、且つ撓性や弾性を具有する支持部３１を具有し、該支持部３１上には突出部３２が設けられ、該突出部３２には延長部３２１及び該延長部３２１先端に設置される曲面３２２を具有する。
【０００７】
図２，３に示すように、本考案を実際に適用するには、該固定ユニットの突出部３２を該ストレージユニット２両側の接続孔２１中に対応させる。該突出部３２と該接続孔２１が対応して接合する際、該曲面３２２が該突出部３２を該接続孔２１中にスムーズに導入させ、該突出部３２が該接続孔２１に接合された後、該延長部３２１外径と該接続孔２１とが緊密に固定され、組み立て後に該ストレージユニット２が該ケース１内部にて緩みが生じるのを防止する。
【０００８】
該ストレージユニット２を取り外す際は、本考案の第二実施例に示すように、該固定ユニット３の突出部３２が複数、該底部１１の両側板１１１に直接設置されていることより、直接該底部１１の両側板１１１による可撓性或いは弾性を直接利用し、該突出部３２がスムーズに該ストレージユニット２の接続孔２１より取り外せるようになっている。
【０００９】
図５に示すものは、本考案における第三実施例であるが、該底部１１a両端には二つの側板１１１と結合する封止板１１２を設けると共に、該ボックス部１２aには底部に底板１２１を設け、且つ該ボックス部１２aの両端にはそれぞれ開口が形成することにより、該底部１１aは該ボックス部１２aの一端開口個所より装入されるようにする。
【図面の簡単な説明】
【００１０】
【図１】公知におけるディスクドライブの立体分解図である。
【図２】本考案における立体分解図である。
【図３】本考案における構造断面図である。
【図４】本考案における第二実施例を示す図である。
【図５】本考案における第三実施例を示す図である。
【符号の説明】
【００１１】
４  ケース
４１  上蓋
４２  下蓋
４３  ボルト
４４  ボルト
５  ディスクドライバ
５１  固定孔
１  ケース
１１，１１a  底部
１２、１２a  ボックス部
１３  固定部品
２  ストレージユニット
２１  接続孔
３  固定ユニット
３１  支持部
３２  突出部
３２１  延長部
３２２  曲面
１１１  側板
１１２  封止板
１２１  底板
【図１】
0003113920.tif 000003
【図２】
0003113920.tif 000004
【図３】
0003113920.tif 000005
【図４】
0003113920.tif 000006
【図５】
0003113920.tif 000007